【手続補正書】
【提出日】平成19年6月8日(2007.6.8)
【手続補正１】
【補正対象書類名】特許請求の範囲
【補正対象項目名】全文
【補正方法】変更
【補正の内容】
【特許請求の範囲】
【請求項１】
電子写真感光体、帯電手段、露光手段、現像手段、転写手段及び除電手段を有する電子写真装置において、前記露光手段が半導体レーザーを有し、かつ前記除電手段がLEDを有し、該半導体レーザーの波長（λａ［nm］）と、該LEDの波長（λｂ［nm］）と、前記電子写真感光体の最大分光感度時の波長（λｃ［nm］）とが、下記式（１）を満たし、且つλａ、λｂ及びλｃの何れもが３８０ｎｍ〜５２０ｎｍの範囲内にあることを特徴とする電子写真装置：
λａ＜λｃ＜λｂ・・・（１）。
【請求項２】
前記λａ［nm］における感光体の感度（Ｓａ［V・m2/cJ］）と、前記λｂ［nm］における感光体の感度（Ｓｂ［V・m2/cJ］）とが、下記式（３）を満たすことを特徴とする請求項１記載の電子写真装置：
Ｓｂ／Ｓａ≧１．０５・・・（３）。
【請求項３】
前記電子写真感光体が有機感光体であることを特徴とする請求項１または２に記載の電子写真装置。
【請求項４】
前記有機感光体の感光層が電荷発生物質として下記構造式（４）のアゾ化合物を含有することを特徴とする請求項３記載の電子写真装置：
Ｃｐ１−Ｎ＝Ｎ−Ａｒ−Ｎ＝Ｎ−Ｃｐ２・・・（４）
（式中、Ａｒは置換基を有してもよい芳香族炭化水素環、置換基を有してもよい複素環、またはこれらが直接あるいは芳香族性基または非芳香族性基で結合したものを表し、Ｃｐ１およびＣｐ２は同一または異なるフェノール性水酸基を有するカプラー残基を表す。ただし、上記Ｃｐ１−Ｎ＝Ｎ−と−Ｎ＝Ｎ−Ｃｐ２とが同一ベンゼン環に結合する場合を除く）。
【請求項５】
前記有機感光体の感光層が電荷発生物質として下記構造式（５）のポルフィリン化合物を含有することを特徴とする請求項３記載の電子写真装置：
【化１】
2005181991.tif 000001
（式中、Ｍは、水素原子または軸配位子を有してもよい金属を示し、Ｒ１１〜Ｒ１８は、それぞれ独立して、水素原子、置換基を有してもよいアルキル基、置換基を有してもよい芳香環、置換基を有してもよいアミノ基、置換基を有してもよい硫黄原子、アルコキシ基、ハロゲン原子、ニトロ基またはシアノ基を示し、Ａ１１〜Ａ１４は、それぞれ独立して、水素原子、置換基を有してもよいアルキル基、置換基を有してもよい芳香環または置換基を有してもよい複素環を示し、ただし、少なくとも１つは置換基を有してもよい複素環を示す）。
【請求項６】
前記構造式（４）が下記構造式（６）で表されることを特徴とする請求項４記載の電子写真装置：
【化２】
2005181991.tif 000002
（式中、Ｒ１及びＲ２は、それぞれ独立して、置換基を有してもよいアルキル基、置換基を有してもよいアリール基またはハロゲン原子を示し、ｍ１及びｍ２は０〜４の整数を示し、Ｃｐ１およびＣｐ２は同一または異なるフェノール性水酸基を有するカプラー残基を表す）。
【請求項７】
前記構造式（４）のＣｐ１およびＣｐ２の少なくとも一方が下記構造式（７）または（８）であることを特徴とする請求項４記載の電子写真装置：
【化３】
2005181991.tif 000003
【化４】
2005181991.tif 000004
（上記式（７）、（８）中、Ｒ３及びＲ４は、それぞれ独立して、水素原子、置換基を有してもよいアルキル基、置換基を有してもよいアリール基または置換基を有してもよい複素環基を表し、また、Ｒ３とＲ４は式中の窒素原子を介して環状アミノ基を形成してもよく、Ｚは酸素原子または硫黄原子を表し、ｎは０または１を表し、Ｙは置換基を有してもよい２価の芳香族炭化水素環基または置換基を有してもよい２価の含窒素複素環基を表す）。
【請求項８】
前記構造式（４）が下記構造式（６）であり、かつＣｐ１およびＣｐ２の少なくとも一方が前記構造式（７）または（８）であることを特徴とする請求項４記載の電子写真装置：
【化５】
2005181991.tif 000005
（上記式（６）中、Ｒ１及びＲ２は、それぞれ独立して、置換基を有してもよいアルキル基、置換基を有してもよいアリール基またはハロゲン原子を示し、ｍ１及びｍ２は０〜４の整数を示す）。
【請求項９】
前記構造式（５）で表される化合物が、前記構造式（５）におけるＲ１１〜Ｒ１８が全て水素原子であり、かつＡ１１〜Ａ１４が全てピリジル基である、５，１０，１５，２０−テトラピリジル−２１Ｈ，２３Ｈ−ポルフィリン化合物であることを特徴とする請求項５記載の電子写真装置。
【請求項１０】
前記５，１０，１５，２０−テトラピリジル−２１Ｈ，２３Ｈ−ポルフィリン化合物が、ＣｕＫα特性Ｘ線回折におけるブラッグ角（２θ±０．２°）の８．２°、１９．７°、２０．８°および２５．９°にピークを有する結晶形の５，１０，１５，２０−テトラ（４−ピリジル）−２１Ｈ，２３Ｈ−ポルフィリン結晶であることを特徴とする請求項９記載の電子写真装置。
【請求項１１】
前記除電手段が、帯電前露光、またはクリーニング前露光を行うように配置されていることを特徴とする請求項１または２に記載の電子写真装置。
【手続補正２】
【補正対象書類名】明細書
【補正対象項目名】００６３
【補正方法】変更
【補正の内容】
【００６３】
次に、下記式で示される構造を有する電荷輸送物質（Ａ）７部、
【化１３】
2005181991.tif 000006
ポリカーボネート樹脂（商品名ユーピロンＺ−２００、三菱瓦斯化学社製）１０部を、モノクロルベンゼン７０部とメチラール５部に溶解した電荷輸送層用溶液を調製し、電荷発生層上にディッピング塗工し、１２０℃で１時間乾燥し、膜厚１２μｍの電荷輸送層を形成して有機感光体を得た。本有機感光体のΔ５００（−７００Ｖ→−２００Ｖ）における分光感度［V・m2/cJ］を図６に示す。図６に示すように本有機感光体の最大分光感度時の波長（λｃ）は４２４ｎｍであった。なお最大分光感度時の波長は、光源としてのハロゲンランプを各波長の干渉フィルターで単色化し、１０ｃｍ２の導電性ガラスを用いて光放電特性を測定して求めた。
【手続補正３】
【補正対象書類名】明細書
【補正対象項目名】００６４
【補正方法】変更
【補正の内容】
【００６４】
次に、この有機感光体に回転駆動用フランジを装着し図４に示す電子写真装置（キヤノン(株)製ＣＬＣ１１５０）に装着した。露光手段のレーザー露光光学系には、発振波長（λａ）が４０５ｎｍ、出力５ｍＷのＧａＮ系チップ（日亜化学工業（株）製）を搭載した。除電装置には、発振波長（λｂ）が４７０ｎｍのBlue LED（日亜化学工業（株）製）を搭載し光量はイメージ露光量の３倍に設定した。また、帯電電位（Ｖｄ）−７００Ｖ、明電位（Ｖｌ）−２００Ｖ、現像バイアス−５５０Ｖ、書き込みピッチは６００ｄｐｉ、ビームスポット径は３２μｍとなるように設定し、各色とも二成分ネガトナーでフルカラーの３０００枚連続画像出力を２３℃、５５％の環境下で実施した。初期から３０００枚後までのＶｄ、Ｖｌの変動量（ΔＶｄ、ΔＶｌ）を測定した結果、ΔＶｄ＝−５Ｖ（−７００Ｖ→−６９５Ｖ）、ΔＶｌ＝−１０Ｖ（−２００Ｖ→−１９０Ｖ）で耐久前後における電位変動が非常に小さく良好であった。また、画像目視評価において初期から３０００枚に至るまで、中間調画像のガサツキ（不均一性）やベース地でのかぶりはなく適正な濃度を維持した超高画質なフルカラー画像が得られた。
【手続補正４】
【補正対象書類名】明細書
【補正対象項目名】００６５
【補正方法】変更
【補正の内容】
【００６５】
（実施例２）
実施例１に使用した電子写真装置において、除電装置を発振波長（λｂ）が４７０ｎｍのBlue LED（日亜化学工業（株）製）から発振波長（λｂ）が５０３ｎｍのBluish Green LED（日亜化学工業（株）製）に変更し光量をイメージ露光量の５倍に設定変更したこと以外は実施例１と同様にして３０００枚連続画像出力を行った。その結果、ΔＶｄ＝−１０Ｖ、ΔＶｌ＝＋３５Ｖで耐久前後における電位変動が小さかった。また、画像目視評価において初期から３０００枚に至るまで、中間調画像のガサツキ（不均一性）やベース地でのかぶりはなく適正な濃度を維持した超高画質なフルカラー画像が得られた。
【手続補正５】
【補正対象書類名】明細書
【補正対象項目名】００６６
【補正方法】変更
【補正の内容】
【００６６】
（実施例３〜６）
実施例１に使用した有機感光体中のアゾ化合物を例示化合物１−１０からそれぞれ表９に示す例示化合物に変更したこと以外は実施例１と同様にして３０００枚連続画像出力を行った。その結果、表９に示すように電位変動が非常に小さく良好で超高画質の画像が得られた。なお、表９において、Ｓａは、露光手段であるところの半導体レーザーの波長（λａ［ｎｍ］）における感光体の感度［Ｖ・ｍ２／ｃＪ］である。Ｓｂは、除電手段であるLEDの波長（λｂ［ｎｍ］）における感光体の感度［Ｖ・ｍ２／ｃＪ］である。
【手続補正６】
【補正対象書類名】明細書
【補正対象項目名】００６７
【補正方法】変更
【補正の内容】
【００６７】
（比較例1〜３）
実施例１に使用した電子写真装置において、除電装置を発振波長（λｂ）が４７０ｎｍのBlue LED（日亜化学工業（株）製）からそれぞれ発振波長（λｂ）が３８０ｎｍの白色LED、発振波長（λｂ）が５３０ｎｍのGreen LED、発振波長（λｂ）が６２０ｎｍのRed LED（以上日亜化学工業（株）製）に変更し光量をイメージ露光量の５倍に設定変更したこと以外は実施例１と同様にして３０００枚連続画像出力を行った。その結果を表９に示す。比較例１はＶｄダウンが大きく、比較例２、３はＶｌアップが大きくなるため耐久電位変動が大きく、それぞれかぶり発生や画像濃度が低下するという画像不具合が生じた。
【手続補正７】
【補正対象書類名】明細書
【補正対象項目名】００６８
【補正方法】変更
【補正の内容】
【００６８】
（比較例４）
比較例３で使用した除電装置である発振波長（λｂ）が６２０ｎｍのRed LEDの光量をイメージ露光量の５倍から１０倍に設定変更したこと以外は実施例１と同様にして３０００枚連続画像出力を行った。その結果を表９に示す。比較例３より若干向上したものの耐久電位変動（Ｖｌアップ）が大きく画像濃度が低下したままであった。
【手続補正８】
【補正対象書類名】明細書
【補正対象項目名】００６９
【補正方法】変更
【補正の内容】
【００６９】
（比較例５）
実施例１に使用した電子写真装置において、除電装置を発振波長（λｂ）が４７０ｎｍのBlue LED（日亜化学工業（株）製）からハロゲンランプに変更し光量をイメージ露光量の５倍に設定変更したこと以外は実施例１と同様にして３０００枚連続画像出力を行った。その結果は表９に示すようにＶｄダウンとＶｌダウンがやや大きく、若干のかぶりが発生し、解像度もやや低い画像が得られた。
【手続補正９】
【補正対象書類名】明細書
【補正対象項目名】００７１
【補正方法】変更
【補正の内容】
【００７１】
次に、下記式で示される構造を有する電荷輸送物質（Ａ）６部、
【化１４】
2005181991.tif 000007
下記式で示される構造を有する電荷輸送物質（Ｂ）１部、
【化１５】
2005181991.tif 000008
ポリカーボネート樹脂（商品名ユーピロンＺ−８００、三菱瓦斯化学社製）１０部を、モノクロルベンゼン７０部に溶解した電荷輸送層用溶液を調製し、電荷発生層上にディッピング塗工し、１１０°で１時間乾燥し、膜厚１０μｍの電荷輸送層を形成して有機感光体を得た。本有機感光体の最大分光感度時の波長（λｃ）は４６５ｎｍであった。この有機感光体を用いて実施例１と同様にして３０００枚連続画像出力を行った。その結果は表９に示すように電位変動が非常に小さく良好で超高画質の画像が得られた。
【手続補正１０】
【補正対象書類名】明細書
【補正対象項目名】００７２
【補正方法】変更
【補正の内容】
【００７２】
（比較例６）
実施例１に使用した有機感光体中のアゾ化合物を例示化合物１−１０から下記式で示される比較化合物（Ａ）
【化１６】
2005181991.tif 000009
に変更したこと以外は実施例１と同様にして画像出力を試みたが、本有機感光体の最大分光感度時の波長（λｃ）は６００ｎｍ以上あり、イメージ露光波長域での感度が非常に低いために適正なＶｌ設定が不可能であった。
【手続補正１１】
【補正対象書類名】明細書
【補正対象項目名】００７４
【補正方法】変更
【補正の内容】
【００７４】
次に、下記式で示される構造を有する電荷輸送物質（Ａ）６部、
【化１７】
2005181991.tif 000010
と下記式で示される構造を有する電荷輸送物質（Ｃ）１部、
【化１８】
2005181991.tif 000011
ポリカーボネート樹脂（商品名ユーピロンＺ−４００、三菱瓦斯化学社製）１０部を、モノクロルベンゼン７０部とメチラール５部に溶解した電荷輸送層用溶液を調製し、電荷発生層上にディッピング塗工し、１２０℃で１時間乾燥し、膜厚１５μｍの電荷輸送層を形成して有機感光体を得た。本有機感光体のΔ５００（−７００Ｖ→−２００Ｖ）における分光感度［V・m2/cJ］を図６に示す。図６に示すように本有機感光体の最大分光感度時の波長（λｃ）は４２４ｎｍであった。この有機感光体を用いて実施例１と同様にして３０００枚連続画像出力を行った。その結果、表９に示すように電位変動が小さく良好で超高画質の画像が得られた。
【手続補正１２】
【補正対象書類名】明細書
【補正対象項目名】００７６
【補正方法】変更
【補正の内容】
【００７６】
【表９】
2005181991.tif 000012